(57)【特許請求の範囲】
【請求項１】
パネルの温度を検出する温度センサと、
前記温度センサによって検出される温度の条件に応じた変換ルールを示す変換用データを取得するとともに、当該取得した変換用データを転送する転送部と、
前記転送部から転送された前記変換用データを格納し、且つ、当該変換用データに基づいて入力された画像信号を表示用画像信号に変換する変換部と、
前記変換部に格納されている変換用データが、前記転送部から転送されてきた変換用データに置換されるように制御する制御部と、
を備え、
前記転送部は、前記変換部において信号の変換が行われる期間を避けつつ、取得された変換データを前記変換部に転送し、
前記転送部は、前記温度センサによって検出される前記パネルの現在の温度が、前回検出された温度が属する温度範囲とは異なる温度範囲に属している場合に、係数が各温度範囲に関連付けられたテーブルから前記パネルの現在の温度に係る係数を読み出し、該読み出した係数及び基準変換用データに基づいて変換用データを取得し、
前記変換用データが、複数色についての複数の階調に係るデータを含み、
前記転送部が、取得された変換用データを２以上の階調区間のデータに分割して、前記階調区間ごとに前記複数色に係るデータを前記変換部に順次転送することを特徴とする画像表示装置。
【請求項２】
請求項１に記載の画像表示装置であって、
前記入力された画像信号に基づき、前記信号の変換が行われる期間および前記変換部において信号の変換が行われていない期間のうちの少なくとも一方の期間を検出する検出部、
を更に備え、
前記転送部が、
前記検出部による検出結果に基づいて、前記信号の変換が行われる期間を避けつつ、取得された変換用データを前記変換部に転送することを特徴とする画像表示装置。
【請求項３】
請求項１または請求項２に記載の画像表示装置であって、
前記信号の変換が行われる期間が、
前記変換部において、動画を構成する各フレームの信号の変換が行われる期間であることを特徴とする画像表示装置。
【請求項４】
請求項１から請求項３のいずれかに記載の画像表示装置であって、
前記転送部が、
少なくとも１以上の前記信号の変換が行われる期間を挟み、且つ前記変換部において信号の変換が行われていない２以上の期間に、取得された変換用データを分割して前記変換部に転送することを特徴とする画像表示装置。
【請求項５】
請求項２のいずれかに記載の画像表示装置であって、
前記変換部と前記検出部とが同一の集積回路に搭載されていることを特徴とする画像表示装置。
【請求項６】
変換ルールを示す変換用データを格納し且つ前記変換用データに基づいて入力された画像信号を表示用画像信号に変換する変換部、を有する画像表示装置における変換ルールの置換方法であって、
温度センサによってパネルの温度を検出する検出ステップと、
前記検出される温度の条件に応じた変換ルールを示す変換用データを取得する取得ステップと、
前記入力された画像信号に基づいて、前記変換部において信号の変換が行われる期間を避けつつ、前記取得ステップで取得された変換用データを前記変換部に転送することで、前記変換部に格納された変換用データが、前記取得ステップで取得された変換用データに置換される置換ステップと、
を備え、
前記取得ステップにおいて、前記温度センサによって検出される前記パネルの現在の温度が、前回検出された温度が属する温度範囲とは異なる温度範囲に属している場合に、係数が各温度範囲に関連付けられたテーブルから前記パネルの現在の温度に係る係数が読み出され、該読み出された係数及び基準変換用データに基づいて変換用データが取得され、
前記変換用データが、複数色についての複数の階調に係るデータを含み、
前記置換ステップが、取得された変換用データを２以上の階調区間のデータに分割して、前記階調区間ごとに前記複数色に係るデータを前記変換部に順次転送することを特徴とする画像表示装置における変換ルールの置換方法。
【発明の詳細な説明】
【技術分野】
【０００１】
本発明は、画像表示装置、および画像表示装置における変換ルールの置換方法に関する。
【背景技術】
【０００２】
従来より、電界発光を利用した有機ＥＬ(Electroluminescence)素子を備える画像表示装置が知られている。
【０００３】
この様な画像表示装置では、画素回路に使われている薄膜トランジスタ（TFT：Thin Film Transistor）と有機ＥＬ素子の温度特性により、有機ＥＬパネルの温度が変化すると発光輝度が変化する。このため、画素回路に付与する信号波形や信号電圧や電源電圧を適宜制御することで、広い温度範囲（例えば、−２０℃〜＋６０℃）における有機ＥＬパネルの温度変化に対して、発光輝度を安定させる技術が提案されている（例えば特許文献１または２）。
【０００４】
また、入力されてきた画像信号を有機ＥＬパネルの特性に合わせた表示用の画像信号に変換する所謂γ変換の変換ルールについても、有機ＥＬパネルの温度変化に応じて変更することが好ましい。
【０００５】
このγ変換の変換ルールは、例えば、６ビットで階調が表現される画像信号を、１０ビットで階調が表現される表示用画像信号に変換するルールである。そして、γ変換をＬＵＴ（ルックアップテーブル）を用いたハードウェア構成によって実現する態様としては、例えば、メモリにおいて変換前の階調に対応するアドレスに変換後の階調を示すデータが格納され、入力画像信号を構成する各画素の階調に応じて指定されたメモリのアドレスから、γ変換後の各画素の階調を示すデータが読み出されることで、画像信号のγ変換が行われる態様が考えられる。
【０００６】
なお、γ変換の変換ルールの変更が要求される条件としては、有機ＥＬパネルの温度変化以外に、ユーザの好みに応じた設定の変更なども考えられる。
【０００７】
【特許文献１】特開平０７−２６３１４２号公報
【特許文献２】特開２０００−２１４８２４号公報
【発明の開示】
【発明が解決しようとする課題】
【０００８】
しかしながら、例えば、携帯電話機などといった表示部を有する各種電子機器については、機器の小型化が常に求められるため、メモリの端子の数やマイコンの性能を極力抑制しなければならず、γ変換およびその変換ルールの変更に要する期間を短縮することは難しい。このため、動画を構成する１つのフレームの画像信号に係るγ変換と次のフレームの画像信号に係るγ変換との間に、変換ルールを完全に置換することは難しい。
【０００９】
例えば、図５で示すように、仮に、γ変換が行われていない期間（変換待機期間）になると同時に、γ変換の変換ルールを示す変換用データのメモリへの転送および置換が行われる期間（転送・置換期間）となっても（時刻Ｔ１）、変換待機期間が終了する前に、転送・置換期間が終了しないような事態となる。つまり、次のγ変換が行われる期間（変換期間）になっても（時刻Ｔ２）、転送・置換期間が終了せず、変換期間と転送・置換期間とが重なり合ってしまう。このとき、変換ルールの置換のためのメモリのアドレスを指定すべきタイミングと、γ変換のためのメモリのアドレスを指定すべきタイミングとが重なってしまい、結果として、γ変換が正しく行われず、画像表示装置で再生される画像にノイズが発生してしまう。
【００１０】
例えば、メモリが所謂１ポートＲＡＭである場合には、変換ルールの置換のためのメモリのアドレスの指定と、γ変換のためのメモリのアドレスの指定とを同時に行うことが出来ない。よって、γ変換が正しく行われた場合の階調を示すデータとは全く異なる階調を示すデータがメモリから読み出される不具合を招く。
【００１１】
なお、このような問題は、有機ＥＬパネルを備えた画像表示装置だけに限られず、画像表示装置一般に共通する。
【００１２】
本発明は、上記課題に鑑みてなされたものであり、画像表示装置の小型化を図りつつ、画質の低下を抑制することができる技術を提供することを目的とする。
【課題を解決するための手段】
【００１３】
上記の課題を解決するために、請求項１の発明は、画像表示装置であって、所定の条件に応じた変換ルールを示す変換用データを取得するとともに、当該取得した変換用データを転送する転送部と、前記転送部から転送された前記変換用データを格納し、且つ、当該変換用データに基づいて入力された画像信号を表示用画像信号に変換する変換部と、前記変換部に格納されている変換用データが、前記転送部から転送されてきた変換用データに置換されるように制御する制御部とを備え、前記転送部は、前記変換部において信号の変換が行われる期間を避けつつ、取得された変換データを前記変換部に転送することを特徴とする。
【００１４】
また、請求項６の発明は、請求項１から請求項５のいずれかに記載の画像表示装置であって、前記変換用データが、複数色についての複数の階調に係るデータを含み、前記転送部が、取得された変換用データを２以上の階調区間のデータに分割して、前記階調区間ごとに前記複数色に係るデータを前記変換部に順次転送することを特徴とする。
【００１５】
また、請求項７の発明は、請求項１から請求項５のいずれかに記載の画像表示装置であって、前記変換用データが、複数色についての複数の階調に係るデータを含み、前記転送部が、取得された変換用データを、前記複数色に含まれる１色ごとに前記変換部に順次転送することを特徴とする。
【発明の効果】
【００１６】
本発明によれば、入力画像信号が表示用画像信号に変換される期間と、変換用データが置換される期間とが重なり合わないため、画像表示装置の小型化を図りつつ、画質の低下を抑制することができる。
【００１７】
また、請求項６に記載の発明によれば、変換ルールの置換が、階調区間ごとに順次に行われるため、画像の色バランスの変化が抑制される。
【００１８】
また、請求項７に記載の発明によれば、変換ルールの置換が、色ごとに順次に行われるため、例えば、変換ルールを示す変換用データの一般的な取得順に沿ったデータの転送が行われ、その結果として、変換ルールの置換をスムーズに行うことができるとともに、変換ルールの置換時における変換部のアドレス指定も容易となる。
【発明を実施するための最良の形態】
【００１９】
以下、本発明の実施形態を図面に基づいて説明する。
【００２０】
図１は、本発明の実施形態に係る画像表示装置１の外観構成を例示する図である。
【００２１】
画像表示装置１は、本体部１０と表示部２０とを備えた携帯電話機、すなわち携帯可能な電子機器であり、画像信号に基づいて動画や静止画などといった各種画像を表示部２０において適宜表示する。
【００２２】
本体部１０は、通信機能、バッテリーなどの給電機能、および操作部などを備えている。表示部２０は、例えば、略長方形の輪郭を有する有機ＥＬディスプレイ(organic electroluminescence display)、および本体部１０より供給される各種信号が入力されるドライバ手段を有するＯＬＥＤモジュール３を備えている。なお、ここでは、有機ＥＬディスプレイが、有機材料に電流を流すことで材料自らが発光する自発光型の有機ＥＬ素子を有するため、画像表示装置１は、自発光型の画像表示装置となっている。
【００２３】
図２は、本発明の実施形態に係る画像表示装置１の機能構成を例示するブロック図である。なお、図２では、主にＯＬＥＤモジュール３の機能構成が示されている。
【００２４】
図２で示すように、ＯＬＥＤモジュール３は、表示制御回路３１、マイコン３２、温度センサ３３、ディスプレイＤｐ、電源回路Ｐｃ、ＸドライバＸｄ、およびＹドライバＹｄを備えている。
【００２５】
表示制御回路３１は、例えば、１つの集積回路（ＩＣ）で構成され、メモリコントローラ３１１、メモリ３１２、およびタイミング制御・検出回路３１３を備える。
【００２６】
メモリコントローラ３１１は、メモリ３１２におけるデータの書き込み、およびデータの読み出しを制御する。
【００２７】
例えば、メモリコントローラ３１１は、マイコン３２から転送されてきたデータを、メモリ３１２のアドレスを指定しつつ、各アドレスにデータを順次に記憶させる。ここで、メモリ３１２に記憶されるデータには、本体部１０から入力される画像信号（入力画像信号）をディスプレイＤｐで画像として再生するための表示用の画像信号（表示用画像信号）に変換するための変換ルール（一般的にはγ変換の変換ルール）を示す変換用データ（一般的にはγテーブル）が含まれる。
【００２８】
なお、メモリ３１２に変換用データが既に格納されていれば、マイコン３２から変換用データが転送されてくると、メモリコントローラ３１１は、メモリ３１２に格納された変換用データが、新たに転送されてきた変換用データに置換されるように制御する部位（本発明の制御部に相当）として働く。
【００２９】
また、メモリコントローラ３１１は、本体部１０からの入力画像信号を受け付けて、該入力画像信号に応じて、メモリ３１２からのデータの読み出しを制御する。具体的には、メモリコントローラ３１１は、メモリ３１２のうち、入力画像信号を構成する各画素の階調を示すデータ信号に応じたアドレスに格納されたデータの読み出しを指定する。
【００３０】
なお、メモリコントローラ３１１は、仮に、メモリ３１２からのデータの読み出しを行うためのアドレス指定のタイミングと、メモリ３１２へのデータの書き込みを行うためのアドレス指定のタイミングとが重なる場合には、データ書き込みを行うためのアドレスの指定が優先されるように構成されている。
【００３１】
メモリ３１２は、データの書き換えが可能なメモリであり、例えば、いわゆる１ポートＲＡＭなどで構成される。
【００３２】
メモリ３１２に格納される変換用データは、例えば、ディスプレイＤｐの発光素子の種類に応じた数の色（ここでは、赤（Ｒ）緑（Ｇ）青（Ｂ）の３原色）にそれぞれ対応する変換用データを含む。ここで、各色の変換用データは、例えば、第１の所定数（例えば、０〜６３の６４段階、すなわち６ビット）の階調で表された入力画像信号を、第２の所定数（例えば、０〜１０２３の１０２４段階、すなわち１０ビット）の階調で表された表示用画像信号に変換するためのデータである。
【００３３】
例えば、メモリ３１２では、入力画像信号で採用し得る全階調（例えば、０〜６３階調）にそれぞれ対応するアドレス（例えば、０〜６３）に、変換後の階調を示すデータがそれぞれ格納される。具体的には、メモリ３１２のうちのアドレス０，１，２，・・・，３１，３２，３３，・・・，６１，６２，６３に対して、変換後の階調２９，２２６，２８４，・・・，４９０，４９７，５０４，・・・，７０３，７１１，７１８を示すデータがそれぞれ格納される。
【００３４】
そして、メモリ３１２は、メモリコントローラ３１１によって、入力画像信号を構成する各画素の階調に応じたアドレスが指定されると、指定されたアドレスに格納されたデータをＸドライバＸｄに対して出力する。このとき、入力された画像信号データが、表示用画像信号を構成する各画素のデータ信号に変換される。つまり、メモリ３１２は、該メモリ３１２に格納された変換用データに基づいて入力画像信号を表示用画像信号に変換する部分（本発明の変換部に相当）として働く。
【００３５】
なお、ここでは、メモリ３１２に対して、入力画像信号を構成する各画素の階調に応じたアドレスが指定されてから、所定数のクロック分遅延して、メモリ３１２にからＸドライバＸｄに対して、指定されたアドレスに格納されたデータが入力される。
【００３６】
タイミング制御・検出回路３１３は、本体部１０から入力される入力画像信号に基づき、ディスプレイＤｐにおける画像表示の制御に係る各種タイミングを制御する。
【００３７】
例えば、本体部１０から入力される入力画像信号を構成する各画素のデータ信号の数などをカウントすることで、ＸドライバＸｄによるディスプレイＤｐに配設された各画像信号線に対する電位の付与、ＹドライバＹｄによるディスプレイＤｐに配設された各走査信号線に対する電位の付与、および電源回路ＰｃによるディスプレイＤｐに配設された電源線に対する電位の付与などといった各種動作のタイミングを制御する。
【００３８】
また、タイミング制御・検出回路３１３は、本体部１０からの入力画像信号に基づき、入力画像信号がメモリ３１２によって表示用画像信号に変換される処理（変換処理）が行われている期間（変換期間）、および該変換処理が行われていない期間（変換待機期間）のうちの少なくとも一方を検出する部分（本発明の検出部に相当）として働く。
【００３９】
ところで、入力画像信号が動画に係る画像信号である場合には、メモリ３１２では、１フレームに係る入力画像信号を構成する全画素のデータ信号が、時間的に連続して表示用画像信号を構成する全画素のデータ信号に変換される。そこで、このタイミング制御・検出回路３１３は、例えば、本体部１０からの入力画像信号に含まれる垂直同期信号に基づいて、動画を構成する各フレームに係る入力画像信号がメモリ３１２において表示用画像信号に変換される期間を、変換期間として検出する。
【００４０】
ただし、タイミング制御・検出回路３１３による変換期間の検出方法は、これに限られない。例えば、タイミング制御・検出回路３１３が、本体部１０からの入力画像信号を構成する各画素のデータ信号の数などをカウントすることで、１フレームの画像に係る入力画像信号がメモリ３１２において表示用画像信号に変換される期間を、変換期間として検出するようにしても良い。
【００４１】
また、このタイミング制御・検出回路３１３は、例えば、本体部１０からの入力画像信号に含まれる垂直同期信号に基づいて、変換期間でない、すなわちメモリ３１２による変換処理の実行を待っている期間を、変換待機期間として検出するようにしても良い。また、タイミング制御・検出回路３１３による変換待機期間の検出方法は、これに限られない。例えば、タイミング制御・検出回路３１３が、本体部１０からの入力画像信号を構成する各画素のデータ信号の数などをカウントすることで、変換待機期間を検出するようにしても良い。
【００４２】
そして、タイミング制御・検出回路３１３は、変換期間および／または変換待機期間であることが認識可能な特定の信号を、変換データ転送部３２２に送信する。ここで言う特定の信号としては、例えば、変換期間の開始タイミングならびに終了タイミングをそれぞれ示す信号、および変換待機期間の開始タイミングならびに終了タイミングをそれぞれ示す信号などが挙げられる。また、変換期間に特定の信号を変換データ転送部３２２に送信し続ける態様を採用しても良いし、変換待機期間に特定の信号を変換データ転送部３２２に送信し続ける態様を採用しても良い。
【００４３】
マイコン３２は、ＣＰＵやＲＯＭやＲＡＭなどを備えて構成され、例えば、ＣＰＵがＲＯＭ内に格納されるプログラムや各種データに基づいた演算を行うことで、各種機能や動作を実現する。そして、ここでは、マイコン３２が、機能として変換データ取得部３２１と変換データ転送部３２２とを有する。
【００４４】
変換データ取得部３２１は、所定条件に応じた変換ルールを示す変換用データを取得する。ここで言う所定条件には、例えば、マイコン３２の外部回路である温度センサ３３によって検出されて、マイコン３２に入力される温度の条件などが含まれる。
【００４５】
ここで、マイコン３２のＲＯＭ内に、基準となる変換用データ（基準変換用データ）と、各温度範囲に対して演算用の係数が関連付けられたテーブルとが記憶されている場合を想定する。この場合には、例えば、変換データ取得部３２１は、温度センサ３３によって検出される温度が、前回検出された温度が属する温度範囲とは異なる温度範囲に属していれば、現在の温度範囲に係る係数をＲＯＭ内のテーブルから読み出して、該係数と基準変換用データとに基づいて、変換用データを生成する。このとき、変換データ取得部３２１は、変換用データを取得することになる。なお、ここで言う各温度範囲としては、例えば、３℃刻みの温度範囲などを採用すれば良い。
【００４６】
変換データ転送部３２２は、変換データ取得部３２１によって取得された変換用データをメモリコントローラ３１１を介してメモリ３１２に転送する。そして、この変換データ転送部３２２は、タイミング制御・検出回路３１３からの特定の信号、すなわちタイミング制御・検出回路３１３における検出結果に応じて、変換期間を避けつつ、変換データ取得部３２１で取得された変換用データをメモリ３１２に転送する。したがって、マイコン３２は、所定条件に応じた変換ルールを示す変換用データを取得するとともに、当該取得した変換用データを転送する部分（本発明の転送部に相当）として働く。
【００４７】
温度センサ３３は、例えば、ディスプレイＤｐの温度を直接的または間接的に測定する。具体的には、例えば、温度センサ３３が、ディスプレイＤｐの基板に対して溶着され、ディスプレイＤｐの温度を直接的に測定しても良いし、温度センサ３３が、ディスプレイＤｐの基板に近接して配置され、ディスプレイＤｐ近傍の雰囲気の温度測定により、ディスプレイＤｐの温度を間接的に測定しても良い。
【００４８】
ディスプレイＤｐは、例えば、有機ＥＬ素子をそれぞれ含む多数の画素回路が行列状に配列された有機ＥＬディスプレイである。なお、ここでは、多数の画素回路は、それぞれＲ色の光を発する発光素子を有する画素回路と、Ｇ色の光を発する発光素子を有する画素回路と、Ｂ色の光を発する発光素子を有する画素回路とを備えている。
【００４９】
電源回路Ｐｃは、ディスプレイＤｐを構成する各画素回路の有機ＥＬ素子を発光させるために、電位差を与える。また、ＸドライバＸｄは、タイミング制御・検出回路３１３からの制御信号に応答して、表示用画像信号に含まれる各画素のデータ信号に応じた電位をディスプレイＤｐに配設された画像信号線に付与する。さらに、ＹドライバＹｄは、タイミング制御・検出回路３１３からの制御信号に応答して、ディスプレイＤｐに配設された走査信号線に所定の電位を付与する。
【００５０】
図３は、画像表示装置１における変換用データの転送および置換動作を例示するタイミングチャートである。図３では、上から順に、メモリ３１２におけるγ変換のタイミング、および変換用データが変換データ転送部３２２からメモリ３１２に転送されてメモリ３１２内の変換用データが置換されるタイミングが記載されている。また、変換待機期間に斜めハッチングが付され、変換用データの転送および置換が行われる期間（転送・置換期間）に砂地のハッチングが付されている。
【００５１】
図３で示すように、変換用データの転送・置換期間が、変更期間と時間的に重ならないように、変換データ転送部３２２からメモリ３１２への変換用データの転送、およびメモリ３１２内の変換用データの置換が行われる。具体的には、図３では、１つの変換用データに係る転送・置換期間が３つの変換用データの転送・置換期間（時刻ｔ１〜ｔ２、ｔ３〜ｔ４、ｔ５〜ｔ６）に分割されている。この３つの変換用データ転送・置換期間は、それぞれ３つの変換待機期間に含まれる。つまり、画像表示装置１では、変換用データの転送および置換に要する時間が、１回の変換待機期間を超える場合には、変換期間を挟む２以上の変換待機期間に、変換データ取得部３２１で取得された変換用データが分割されてメモリ３１２に転送される。
【００５２】
なお、図３では、２つの変換期間を挟む３つの変換待機期間に、変換データ取得部３２１で取得された変換用データが分割されてメモリ３１２に転送されている例が示されているが、これに限られない。例えば、２つの変換待機期間に、変換データ取得部３２１で取得された変換用データの転送が完了する場合には、１つの変換期間を挟む２つの変換待機期間に、変換データ取得部３２１で取得された変換用データが分割されてメモリ３１２に転送される。すなわち、変換用データの転送および置換に要する時間が、１回の変換待機期間を超える場合には、変換データ転送部３２２によって、少なくとも１以上の変換期間を挟み、且つ２以上の変換待機期間に、変換データ取得部３２１で取得された変換用データが分割されてメモリ３１２に転送される。
【００５３】
但し、変換用データのうち、変換前の１つの階調に対応する変換後の１つの階調を示すデータ（例えば、１０ビットのデータ）が転送されている途中で、変換用データの転送が中断されると、変換用データの置換が正しく行われない虞がある。そこで、本発明の実施形態に係る画像表示装置１では、変換後の各階調を示すデータの転送が完了した時点で、変換用データの転送が中断されるようにしている。このような転送および置換の制御は、変換データ転送部３２２が、タイミング制御・検出回路３１３で検出される変換期間の開始タイミングよりも、少なくとも変換後の１つの階調を示すデータの転送および置換を行うために必要な時間分だけ早めに、メモリ３１２への変換用データの転送を中断するような構成によって実現される。なお、変換後の１つの階調を示すデータの転送および置換を行うために必要な時間については、回路の設計に従って予め設定することが可能である。
【００５４】
また、ここでは、変換用データが、複数色（ここでは、ＲＧＢの３色）それぞれに対し、第１の所定数の階調について、第１の所定数の階調で表されるデータと第２の所定数の階調で表されるデータとが関連付けられたデータを含む。そして、変換データ取得部３２１において変換用データをより効率的に生成するためには、各色について第１の所定数の階調に係る変換用データが低階調側または高階調側から階調の順番に連続的に算出されることが好ましい。
【００５５】
このため、本発明の実施形態に係る画像表示装置１では、変換データ転送部３２２によって、変換データ取得部３２１で取得された変換用データが、複数色（ここでは、ＲＧＢの３色）に含まれる１色ごとにメモリ３１２に順次転送される。具体的には、例えば、変換データ取得部３２１によって、Ｒ色に係る変換用データ、Ｇ色に係る変換用データ、およびＢ色に係る変換用データの順に変換用データが生成され、変換データ転送部３２２によって、Ｒ色に係る変換用データ、Ｇ色に係る変換用データ、およびＢ色に係る変換用データの順で、且つ低階調側から高階調側のデータの順に、変換用データがメモリ３１２に転送される。
【００５６】
図４は、画像表示装置１における変換用データの転送および置換動作を例示するフローチャートである。本動作は、主にマイコン３２の制御により実現され、例えば、本体部１０からの信号により、表示部２０における画像表示の開始が指示されると、本動作フローが開始され、ステップＳ１に進む。
【００５７】
ステップＳ１では、変換データ取得部３２１により、温度センサ３３で検出される温度が、前回検出された温度が属する温度範囲とは異なる温度範囲に属するようにシフトしたか否かが判定される。ここで言う温度範囲は、例えば、ＲＯＭ内のテーブルに係る温度範囲に対応する。そして、このステップＳ１では、温度範囲のシフトがなければ、ステップＳ１の判定が繰り返され、温度範囲のシフトがあれば、ステップＳ２に進む。
【００５８】
ステップＳ２では、変換データ取得部３２１による変換用データの生成が開始される。
【００５９】
ステップＳ３では、変換データ転送部３２２により、変換待機期間の開始タイミングであるか否かが判定される。ここで、変換待機期間の開始タイミングでなければ、ステップＳ３の判定が繰り返され、変換待機期間の開始タイミングであれば、ステップＳ４に進む。
【００６０】
ステップＳ４では、変換データ転送部３２２からメモリ３１２への変換用データの転送が開始される。
【００６１】
ステップＳ５では、変換データ取得部３２１による変換用データの生成が終了したか否かが判定される。ここで、変換用データの生成が終了していなければ、ステップＳ６に進み、変換用データの生成が終了していれば、ステップＳ１０に進む。
【００６２】
ステップＳ６では、変換データ転送部３２２によって、変換待機期間の終了タイミングであるか否かが判定される。ここで、変換待機期間の終了タイミングでなければ、ステップＳ６の判定が繰り返され、変換待機期間の終了タイミングであれば、ステップＳ７に進む。
【００６３】
ステップＳ７では、変換データ転送部３２２からメモリ３１２への変換用データの転送が停止される。但し、このとき、変換後の各階調を示すデータが転送された時点で、変換用データの転送が停止される。
【００６４】
ステップＳ８では、変換データ転送部３２２により、変換待機期間の開始タイミングであるか否かが判定される。ここで、変換待機期間の開始タイミングでなければ、ステップＳ８の判定が繰り返され、変換待機期間の開始タイミングであれば、ステップＳ９に進む。
【００６５】
ステップＳ９では、変換データ転送部３２２からメモリ３１２への変換用データの転送が再開される。
【００６６】
ステップＳ１０では、変換データ転送部３２２によって、変換データ転送部３２２からメモリ３１２への変換用データの転送が終了したか否かが判定される。ここで、変換用データの転送が終了していなければ、ステップＳ１１に進み、変換用データの転送が終了していれば、本動作フローが終了する。
【００６７】
ステップＳ１１では、変換データ転送部３２２によって、変換待機期間の終了タイミングであるか否かが判定される。ここで、変換待機期間の終了タイミングでなければ、ステップＳ１１の判定が繰り返され、変換待機期間の終了タイミングであれば、ステップＳ７に進む。
【００６８】
以上のように、本発明の実施形態に係る画像表示装置１では、変換期間と、変換データの転送・置換期間とが重なり合わないため、画像表示装置の小型化を図りつつ、再生される画像の品質の低下を抑制することができる。
【００６９】
また、１つの集積回路に、メモリ３１２とタイミング制御・検出回路３１３とが搭載されているため、回路の小型化を図ることが可能であるとともに、変換用データの転送・置換期間の決定が容易に可能となる。
【００７０】
また、変換用データの転送および置換が、色ごとに順次に行われる。このため、例えば、変換ルールを示す変換用データの一般的な取得順に沿ったデータの転送を行うことができる。その結果、変換ルールの置換がスムーズに行われる。また、変換ルールの置換時におけるメモリ３１２のアドレス指定も容易となる。
【００７１】
＜変形例＞
なお、本発明は上述の実施の形態に限定されるものではなく、本発明の要旨を逸脱しない範囲において種々の変更、改良等が可能である。
【００７２】
◎例えば、上記実施形態では、画像表示装置１が、ＲＧＢの光を発する発光素子を有する画素回路が配列されたディスプレイＤｐを備えていたが、これに限られない。例えば、ディスプレイＤｐを構成する多数の画素回路が、少なくとも１色の光を発する発光素子を有していれば良い。
【００７３】
◎また、上記実施形態では、変換用データの転送および置換が、色ごとに順次に行われたが、これに限られない。例えば、変換前の第１の所定数の階調を、２以上の階調の区間（階調区間）に分割し、変換データ転送部３２２が、変換データ取得部３２１で取得された変換用データを２以上の階調区間のデータに分けて、階調区間ごとに複数色に係る変換用データをメモリ３１２に順次に転送するようにしても良い。なお、２以上の階調区間としては、例えば、低階調、中階調、および高階調の区間などが挙げられる。このように、変換ルールの置換が、階調区間ごとに順次に行われる構成が採用されれば、変換ルールの置換中において再生される画像のホワイトバランスなどといった色のバランスの変化が抑制される。
【００７４】
◎また、上記実施形態では、変換期間が、メモリ３１２によって１フレームの画像に係る入力画像信号が表示用画像信号に変換される期間であったが、これに限られない。例えば、１フレームの画像に係る入力画像信号を所定数（例えば、２つ）のフィールド画像に分けて表示用画像信号に変換するような場合には、変換期間は、１つのフィールド画像に係る入力画像信号が表示用画像信号に変換される期間であっても良い。すなわち、変換期間は、ある程度まとまった画素数のデータ信号が時間的に連続して、表示用画像信号を構成する画素のデータ信号に変換される期間であれば良い。なお、別の観点から言えば、変換期間におけるある画素のデータ信号の変換と次の画素のデータ信号の変換との間の期間と、変換待機期間とを比較すると、変換待機期間の方が相対的に長い期間、より具体的には、変換待機期間の方が十分に長い期間となっている。
【００７５】
◎また、上記実施形態では、変換データ取得部３２１が変換用データを生成したが、これに限られない。例えば、各温度に対応する変換用データを事前に所定のメモリに格納しておき、変換データ取得部３２１が、温度センサ３３で検出された温度に応じた変換用データを所定のメモリから読み出すことで、変換用データを取得するようにしても良い。
【００７６】
◎また、上記実施形態では、温度センサ３３で検出された温度の変化がトリガーとなって、変換データ取得部３２１が変換用データを取得したが、これに限られない。例えば、本体部１０に設けられた操作部をユーザが適宜操作することで入力された制御信号に応じて、変換データ取得部３２１が変換用データを取得するようにしても良い。すなわち、変換データ取得部３２１が、使用環境やユーザの設定などに係る所定条件に応じた変換用データを取得するような態様であれば良い。
【００７７】
◎また、上記実施形態では、変換データ取得部３２１と変換データ転送部３２２とが、マイコン３２で実現される機能であったが、これに限られず、適宜論理回路によって構成されても良い。
【００７８】
◎また、上記実施形態では、表示部２０が有機ＥＬディスプレイを備えて構成されたが、これに限られず、表示部２０が、ＬＣＤなどといったその他のディスプレイを備えて構成されたものであっても良い。
【００７９】
◎また、上記実施形態では、メモリ３１２がいわゆる１ポートＲＡＭによって構成された例を挙げて説明したが、限られない。例えば、メモリ３１２は、２ポートＲＡＭで構成されても良いし、その他、アドレスの指定などを受け付けるいわゆるピンの数が少ない小型のメモリであれば良い。
【図面の簡単な説明】
【００８０】
【図１】本発明の実施形態に係る画像表示装置の外観構成を示す図である。
【図２】本発明の実施形態に係る画像表示装置の機能構成を示すブロック図である。
【図３】本発明の実施形態に係る変換用データの転送および置換動作を例示するタイミングチャートである。
【図４】本発明の実施形態に係る変換用データの転送および置換動作を例示するフローチャートである。
【図５】比較対象となる変換用データの転送および置換動作を例示するタイミングチャートである。
【符号の説明】
【００８１】
１  画像表示装置
１０  本体部
２０  表示部
３１  表示制御回路
３２  マイコン
３３  温度センサ
３１１  メモリコントローラ
３１２  メモリ
３１３  タイミング制御・検出回路
３２１  変換データ取得部
３２２  変換データ転送部
【図１】
0005384013.tif 000002
【図２】
0005384013.tif 000003
【図３】
0005384013.tif 000004
【図４】
0005384013.tif 000005
【図５】
0005384013.tif 000006